(57)【要約】【課題】簡易な構成で、大型化を回避しつつコンタクトの塑性変形を良好に防止することを可能とする。【解決手段】絶縁ハウジング１１に取り付けられた一方のコンタクト１２において、絶縁ハウジング１１に固定される固定基部１２ａをコンタクト１２の一端部分に配置するとともに、その固定基部１２ａから、基板接続部１２ｂ及び反転折返し部１２ｃを介して弾性ビーム状部材１２ｄを延出させた構成によって、従来のように弾性ビーム状部材１２ｄの延出方向の途中位置に固定基部１２ａを設けないこととして、当該弾性ビーム状部材１２ｄに長手方向の略全長にわたって弾性的な可撓性を備えさせ、弾性可撓性を有する領域を従来よりも拡大させて弾性ビーム状部材１２ｄの弾性的な可撓性を長期にわたって良好に維持する構成としたものである。【選択図】図５
2013251238.tif 000002
【特許請求の範囲】
【請求項１】
絶縁ハウジングに取り付けられた一対のコンタクト同士が接触した状態から、相手コネクタの押圧力が付与されることで、前記一対のコンタクトのうちの一方のコンタクトが他方のコンタクトから離間する方向に移動するものであって、
前記一方のコンタクトが、前記絶縁ハウジングに係止された固定基部と、印刷配線基板に半田接合される基板接続部と、片持ち状に延出する弾性ビーム状部材と、を有するスイッチ付同軸コネクタにおいて、
前記一方のコンタクトの固定基部が、当該一方のコンタクトの延在方向において一端部分に配置されているとともに、前記固定基部から、前記基板接続部を介して前記弾性ビーム状部材が延出する構成になされたものであって、
前記弾性ビーム状部材は、前記基板接続部との連結部分に、当該弾性ビーム状部材の延出方向を反転させるように折り曲げられた反転折返し部を有していることを特徴とするスイッチ付同軸コネクタ。
【請求項２】
前記弾性ビーム状部材の延出方向の先端部分に、前記他方のコンタクトに接触・離間する接点部が設けられていることを特徴とする請求項１記載のスイッチ付同軸コネクタ。
【請求項３】
前記固定基部には、当該固定基部の両側に延在する固定延設片が設けられ、それらの両固定延設片が、前記弾性ビーム状部材の長手方向に突出するように形成されていることを特徴とする請求項１記載のスイッチ付同軸コネクタ。
【発明の詳細な説明】
【技術分野】
【０００１】
本発明は、相手コネクタが嵌合されることによって離間状態になされる一対のコンタクトを備えたスイッチ付同軸コネクタに関する。
【背景技術】
【０００２】
一般に、携帯電話などのような電子機器又は電気機器においてスイッチ付同軸コネクタが用いられている。このスイッチ付同軸コネクタは、例えば、機器内に設けられた高周波回路等の各種電子回路の状態や性能を検査するための小型回路検査スイッチなどとして用いられるものであるが、例えば、下記の特許文献１等に開示された回路検査スイッチは、機器本体の電子回路を分断するように回路基板上に実装されたスイッチ付同軸コネクタからなるものであって、当該スイッチ付同軸コネクタに設けられた相手挿入穴を通して、相手コネクタとして検査用プラグコネクタのプローブ（検査針）が、上方側から内部に挿入される構成になされている。
【０００３】
このようなスイッチ付同軸コネクタにおいては、絶縁ハウジングの外方側に、グランド接続用の導電性シェルが取り付けられており、その導電性シェルから一体的に突出する複数の基板接続部が、図示を省略した配線基板上の導電路に半田接合されることにより実装される構成になされている。このときの前記絶縁ハウジングの内部には、信号伝送用の可動コンタクトと固定コンタクトとからなるコンタクト対が取り付けられていて、それら一対の可動コンタクト及び固定コンタクトが、機器本体に設けられた電子回路の一方側及び他方側にそれぞれ接続されている。
【０００４】
そして、そのようなスイッチ付同軸コネクタに対して、上方側から挿入された検査用プラグコネクタのプローブ（検査針）の先端部分が、略水平面内で揺動する前記可動コンタクトの自由端部分に上方側から圧接し、それによって可動コンタクトが下方側に揺動して固定コンタクトから離間され、本来の電子回路が分断される。また、プローブの下端部分が可動コンタクト１に接触することによって、機器本体の他の電子回路にプローブが導通状態となり、当該プローブを通して、電子回路からの電気信号が外部に取り出されることにより、例えば適宜の検査が実行されるようになっている。
【０００５】
しかしながら、このような従来のスイッチ付同軸コネクタでは、検査用プラグコネクタのプローブ（検査針）が挿入された際に、コンタクトに塑性（永久）変形を生じるおそれがあり、特に繰り返し挿入された場合には電気的な接続性に問題を生じる場合がある。このような塑性変形を防止するため、従来から、コンタクトのスパンを長くして弾性を高める手段も考えられているが、単にコンタクトを長くしただけではコネクタ全体の大型化を招来してしまい、近年の小型化や低背化の要請に反することとなる。また、特許文献１においては、コンタクトの弾性変形時に生じる応力を分散させ、或いは低減させるための切欠き部や穴部を設けることが行われているが、コンタクトの構成が複雑化して全体が大型化する傾向があるとともに、生産性の低下を招来するおそれがある。
【先行技術文献】
【特許文献】
【０００６】
【特許文献１】特開２００３−１２３９１５号公報
【発明の概要】
【発明が解決しようとする課題】
【０００７】
そこで本発明は、簡易な構成で、大型化を回避しつつコンタクトの塑性変形を良好に防止することができるようにしたスイッチ付同軸コネクタを提供することを目的とする。
【課題を解決するための手段】
【０００８】
上記目的を達成するため本発明では、絶縁ハウジングに取り付けられた一対のコンタクト同士が接触した状態から、相手コネクタの押圧力が付与されることで、前記一対のコンタクトのうちの一方のコンタクトが他方のコンタクトから離間する方向に移動するものであって、前記一方のコンタクトが、前記絶縁ハウジングに係止された固定基部と、印刷配線基板に半田接合される基板接続部と、片持ち状に延出する弾性ビーム状部材とを有するスイッチ付同軸コネクタにおいて、前記一方のコンタクトの固定基部が、当該一方のコンタクトの延在方向において一端部分に配置されているとともに、前記固定基部から、前記基板接続部を介して前記弾性ビーム状部材が延出する構成になされたものであって、前記弾性ビーム状部材は、前記基板接続部との連結部分に、当該弾性ビーム状部材の延出方向を反転させるように折り曲げられた反転折返し部を有する構成が採用されている。
【０００９】
このような構成を有するスイッチ付同軸コネクタによれば、絶縁ハウジングに固定される固定基部が、従来のように弾性ビーム状部材の延出方向の途中位置に設けられていないことから、一方のコンタクトの弾性ビーム状部材が、当該一方のコンタクトにおける長手方向の略全長にわたって弾性的な可撓性を有し、弾性ビーム状部材の可撓性を有する領域が従来よりも拡大されて、当該弾性ビーム状部材の弾性的な可撓性が長期にわたって良好に維持されるようになっている。
【００１０】
また、本発明においては、前記弾性ビーム状部材の延出方向の先端部分に、前記他方のコンタクトに接触・離間する接点部が設けられていることが望ましい。
【００１１】
また、本発明における前記固定基部には、当該固定基部の両側に延在する固定延設片が設けられ、それらの両固定延設片が、前記弾性ビーム状部材の長手方向に突出するように形成されていることが望ましい。
【００１２】
このような構成からなるスイッチ付同軸コネクタによれば、固定延設片による固定力が固定基部に付加されることとなり、それによって弾性ビーム状部材の全体が、より安定的に保持される。
【発明の効果】
【００１３】
以上述べたように本発明にかかるスイッチ付同軸コネクタは、絶縁ハウジングに取り付けられた一方のコンタクトにおいて、絶縁ハウジングに固定される固定基部をコンタクトの一端部分に配置するとともに、その固定基部から、基板接続部及び反転折返し部を介して弾性ビーム状部材を延出させた構成によって、従来のように弾性ビーム状部材の延出方向の途中位置に固定基部を設けないこととして、当該弾性ビーム状部材に長手方向の略全長にわたって弾性的な可撓性を備えさせ、弾性可撓性を有する領域を従来よりも拡大させて弾性ビーム状部材の弾性的な可撓性を長期にわたって良好に維持する構成としたものであるから、簡易な構成で、大型化を回避しつつコンタクトの塑性変形を良好に防止することができ、スイッチ付同軸コネクタの信頼性を安価かつ大幅に高めることができる。
【図面の簡単な説明】
【００１４】
【図１】本発明の一実施形態にかかる回路検査スイッチを構成しているスイッチ付同軸コネクタの全体構造を正面上方側から見たときの外観斜視説明図である。
【図２】図１に示された本発明の一実施形態にかかるスイッチ付同軸コネクタの全体構造を正面下方側から見たときの外観斜視説明図である。
【図３】図１及び図２に示された本発明の一実施形態にかかるスイッチ付同軸コネクタの平面説明図である。
【図４】図１乃至図３に示された本発明の一実施形態にかかるスイッチ付同軸コネクタの正面説明図である。
【図５】図１乃至図４に示された本発明の一実施形態にかかるスイッチ付同軸コネクタに用いられている一方のコンタクトを後方側の上方から見たときの外観斜視説明図である。
【図６】図５に示された一方のコンタクトを後方側の下方から見たときの外観斜視説明図である。
【図７】図１乃至図４に示された本発明の一実施形態にかかるスイッチ付同軸コネクタに用いられている他方のコンタクトを前方側の上方から見たときの外観斜視説明図である。
【図８】図７に示された他方のコンタクトを前方側の下方から見たときの外観斜視説明図である。
【図９】相手コネクタ（検査用プラグコネクタ）が挿入される直前におけるコネクタ中心位置を通る縦断面説明図である。
【図１０】図９の状態から相手コネクタ（検査用プラグコネクタ）が下方に挿入されて第１のコンタクトに当接した状態を表した縦断面説明図である。
【図１１】図１０の状態から相手コネクタ（検査用プラグコネクタ）の下方挿入が完了した状態を表した縦断面説明図である。
【図１２】本発明の他の実施形態にかかるスイッチ付同軸コネクタに用いられている一方のコンタクトを後方側の上方から見たときの外観斜視説明図である。
【図１３】図１２に示された一方のコンタクトを後方側の下方から見たときの外観斜視説明図である。
【発明を実施するための形態】
【００１５】
以下、本発明にかかるスイッチ付同軸コネクタを回路検査スイッチとして採用した実施形態を図面に基づいて詳細に説明する。
【００１６】
［回路検査スイッチの全体構造について］
まず、図１〜図１１に示された本発明の第１の実施形態にかかるスイッチ付同軸コネクタ１０は、図示を省略した配線基板上に実装されるものであって、当該スイッチ付同軸コネクタ１０に対して、相手コネクタとしての検査用プラグコネクタ２０が上方側から嵌合され、又は上方側に向かって抜出される構成になされている。すなわち、そのスイッチ付同軸コネクタ１０の上方側に配置された検査用プラグコネクタ２０が、作業者の手で把持されながら下方側のスイッチ付同軸コネクタ１０に向かって適宜の力で押し込まれ、それによって両コネクタ１０，２０同士が嵌合された装着状態になされる。また、その両コネクタ１０，２０同士の装着状態から検査用プラグコネクタ２０を把持して上方側に適宜の力で引き上げれば、当該検査用プラグコネクタ２０がスイッチ付同軸コネクタ１０から上方に離脱して抜出が行われる。
【００１７】
なお、検査用プラグコネクタ２０は、作業者の手で挿抜されることに限らず、機械によって自動的に挿抜されてもよい。以下、この検査用プラグコネクタの挿入方向及び抜出方向を、それぞれ「下方向」及び「上方向」とする。
【００１８】
このような回路検査スイッチ組立体を構成しているスイッチ付同軸コネクタ１０は、例えば携帯電話等の電子機器に設けられた電子回路基板（図示省略）上に半田付けにより実装されて使用され、その電子機器に設けられた電子回路を、機器本体側とアンテナ側とを分断又は接続するように配置される。
【００１９】
［絶縁ハウジングについて］
上述したスイッチ付同軸コネクタ１０の本体部を構成している絶縁ハウジング１１は、プラスチック等の樹脂材を用いて例えばモールド成形されたものであって、平面略矩形状の板状部材からなるベース枠体部１１ａと、そのベース枠体部１１ａの上面中央部分に配置された挿入ガイド部１１ｂとを一体的に有している。
【００２０】
挿入ガイド部１１ｂは、上述したベース枠体部１１ａの上側表面から略円筒状をなして上方に立ち上がるように形成されている。この挿入ガイド部１１ｂの内周側表面は、略すり鉢形状をなすように形成されており、当該挿入ガイド部１１ｂの上端縁部分に形成された円環状外縁部から、中心部分に相手挿入穴として設けられたプローブ挿入穴１１ｃの上面側開口部に向かって斜め下方に延在する傾斜ガイド面１１ｄが形成されている。この傾斜ガイド面１１ｄは、前述した検査用プラグコネクタ２０に設けられたプローブ２０ａをプローブ挿入穴１１ｃに向かって案内する機能を有するものであって、検査用プラグコネクタ２０のプローブ２０ａがプローブ挿入穴１１ｃの真上に配置されていない場合であっても、傾斜ガイド面１１ｄの傾斜面上にプローブの先端部が当接されれば、プローブ２０ａの先端部が傾斜ガイド面１１ｄに沿って下方に滑り落ちるように移動され、プローブ挿入穴１１ｃまで円滑に案内されるようになっている。
【００２１】
相手挿入穴として設けられたプローブ挿入穴１１ｃは、検査用プラグコネクタ２０のプローブ２０ａを挿入可能とする内径を有する大きさの平面略円形状をなすように形成されており、当該プローブ挿入穴１１ｃの上面側開口部の周囲に、上述した挿入ガイド部１１ｂが略同心状をなすように配置されたものであって、上述したように挿入ガイド部１１ｂの上端開口部からベース枠体部１１ａの中心軸に沿って下方に延出し、絶縁ハウジング１１の正面と背面との間を貫通するように設けられたコンタクト挿入通路１１ｅに対して上方側から開口するように設けられている。このプローブ挿入穴１１ｃは、後述する一方のコンタクト１２の上方位置に配置されている。
【００２２】
［コンタクトについて］
一方、絶縁ハウジング１１のベース枠体部１１ａに設けられたコンタクト挿入通路１１ｅの内部には、信号伝送用の第１コンタクト（一方のコンタクト）１２、及び第２コンタクト（他方のコンタクト）１３が、上述した検査用プラグコネクタ（相手コネクタ）２０の挿入・抜去の方向（上下方向）に対して略直交する水平方向に、互いに対向するように挿入されて取り付けられている。これらの第１コンタクト１２及び第２コンタクト１３同士が対向する方向を、以下においては単に「コンタクト対向方向」と呼び、また、各コンタクト１２，１３の個々において、相手側に向かっている方向を「前方」、その反対方向を「後方」とする。
【００２３】
第１コンタクト１２及び第２コンタクト１３は、いわゆるコンタクト対を構成するものであって、絶縁ハウジング１１の正面・背面の両端面からコンタクト挿入通路１１ｅの内部に対面するようにして挿入され、第１コンタクト１２が第２コンタクト１３に対して弾性的に接触した状態となるように絶縁ハウジング１１に取り付けられている。このときの両コンタクト１２，１３同士の接触状態は、後述するように検査用プラグコネクタ２０の嵌合によって解除されて離間状態になされる。
【００２４】
そのうち第１コンタクト１２は、コンタクト挿入通路１１ｅに沿って延在する細長帯板状の折曲げ部材から形成されており、その細長帯板状部材からなる第１コンタクト１２の一端部分に、絶縁ハウジング１１に係止される固定基部１２ａが設けられている。その固定基部１２ａにおける後方側の端縁部からは、印刷配線基板に接続される基板接続部１２ｂが後方側に向かって延出しているとともに、その基板接続部１２ｂにおける後方側の端縁部からは、反転折返し部１２ｃを含む弾性ビーム状部材１２ｄが、片持ち状をなすようにして一体的に延出している。
【００２５】
このように第１コンタクト１２は、当該第１コンタクト１２の延在方向における一端部分に配置された固定基部１２ａから、基板接続部１２ｂ、反転折返し部１２ｃ及び弾性ビーム状部材１２ｄが、一連に連続するように配置された構成になされており、絶縁ハウジング１１に略不動状態に固定される固定基部１２ａ及び基板接続部１２ｂに対して、反転折返し部１２ｃを含む弾性ビーム状部材１２ｄが、後述するように弾性的な可撓性を有する構成になされている。
【００２６】
上述した第１コンタクト１２の固定基部１２ａは、略水平に延在する板状部材から形成されており、当該固定基部１２ａの両側縁部、すなわちコンタクト対向方向と直交する板幅方向における両端部分には、絶縁ハウジング１１に対して圧入固定される固定延設片１２ａ１，１２ａ１が、両側外方に向かって略水平に延出するように設けられている。それらの各固定延設片１２ａ１は、固定基部１２ｂの両側外方において、前後方向に略水平に突出するように形成されており、絶縁ハウジング１１の壁面に溝状をなすように凹設された固定溝部に圧入されることで固定状態になされている。そして、これらの各固定延設片１２ａ１による絶縁ハウジング１１に対する係合力によって、第１コンタクト１２全体の保持が行われている。
【００２７】
このとき、固定基部１２ａに設けられた固定延設片１２ａ１，１２ａ１は、上述したように固定基部１２ａの両側において弾性ビーム状部材１２ｄの長手方向である前後方向に延出するように形成されていることから、後述する弾性ビーム状部材１２ｄの上下方向の弾性変位に対する当該固定延設片１２ａ１，１２ａ１の固定力が増大される構造となっており、固定基部１２ａが強固に支持されることで、弾性ビーム状部材１２ｄの支持力が高められて安定的な保持性が得られ、後述する弾性ビーム状部材１２ｄの先端縁部分に設けられた接点部の機能が良好に維持される。
【００２８】
また、各固定延設片１２ａ１が固定基部１２ａと連結されている両部材同士の連結境界領域には、当該連結境界領域の後端縁部から前方側に向かって延出する切欠き部１２ａ２がそれぞれ形成されている。それらの切欠き部１２ａ２は、平面略Ｕ字形状をなす細幅の溝形状をなすように形成されていて、当該切欠き部１２ａ２の奥側溝端から基板接続部１２ｂが後方側に向かって延出している。この基板接続部１２ｂは、上述した固定基部１２ａから、所定の下方段差を介して略水平に延出する帯板状部材から形成されており、電気コネクタ１０の実装時に、印刷配線基板上に形成された導電路に対して半田部材により接合される構成になされている。
【００２９】
また、基板接続部１２ｂには、反転折返し部１２ｃを介して弾性ビーム状部材１２ｄが一体的に連設されている。反転折返し部１２ｃは、弾性ビーム状部材１２ｄの根本部分を構成するものであるが、上述した基板接続部１２ｂの後端縁部から上方側に立ち上がるように湾曲して延びる帯板状部材から形成されており、弾性ビーム状部材１２ｄの延出方向を反転させるように前方側に向かって折り返されている。すなわち、この反転折返し部１２ｃの上方側部分は、前方側に向かって略水平に延出しており、当該反転折返し部１２ｃの上方側部分の前端縁から、弾性ビーム状部材１２ｄが前方側に向かって片持ち状をなして一体的に延出している。弾性ビーム状部材１２ｄの詳細な構成については後述する。
【００３０】
これに対して第２コンタクト１３は、上述した第１コンタクト１２の反対側部分からコンタクト挿入通路１１ｅ内に挿入されており、当該第２コンタクト１２の全体が不動状態に固定される構成になされている。より具体的には、絶縁ハウジング１１に係止されている固定基部１３ａの後方側の端縁部からは、印刷配線基板に接続される基板接続部１３ｂが、反転折返し部１３ｃを介して後方側に向かって一体的に延出しているとともに、固定基部１３ａにおける前方側の端縁部からは、固定ビーム状部材１３ｄが前方側に向かって一体的に延出している。これらの基板接続部１３ｂ及び固定ビーム状部材１３ｄは、片持ち状をなすようにして延出する構成になされている。
【００３１】
そのうちの固定基部１３ａは、略水平に延在する板状部材から形成されており、当該固定基部１３ａの両側縁部、すなわちコンタクト対向方向と直交する板幅方向の両端部に、絶縁ハウジング１１に対して圧入固定される固定延設片１３ａ１，１３ａ１が、両側外方に向かって略水平に延出するように設けられている。それらの各固定延設片１３ａ１は、固定基部１３ｂの両側外方において、前後方向に略水平に突出するように形成されており、絶縁ハウジング１１の壁面に溝状をなすように凹設された固定溝部に圧入されることで固定状態になされている。そして、これらの各固定延設片１３ａ１による絶縁ハウジング１１に対する係合力によって、第２コンタクト１３全体の保持が行われている。
【００３２】
この固定基部１３ａに設けられた固定延設片１３ａ１，１３ａ１は、上述したように固定基部１３ａの両側において固定ビーム状部材１３ｄ長手方向である前後方向に延出するように形成されていることから、固定ビーム状部材１３ｄに対する上下方向の付加力に対する当該固定延設片１３ａ１，１３ａ１の固定力が増大される構造になされており、固定基部１３ａが強固に支持されることで、固定ビーム状部材１３ｄの支持力が高められて安定的な保持性が得られ、固定ビーム状部材１３ｄの先端縁部分に設けられた接点部の機能が良好に維持される。
【００３３】
基板接続部１３ｂの反転折返し部１３ｃは、当該基板接続部１３ｂの根本部分を構成するものであるが、上述した固定基部１３ａの後端縁部から下方側に向かって立ち下がるように湾曲して延びる帯板状部材から形成されており、基板接続部１３ｂの延出方向を反転させるように前方側に向かって折り返されている。すなわち、その反転折返し部１３ｃの下端側部分は、前方側に向かって略水平に延出しており、当該反転折返し部１３ｃの下方側部分の前端縁から、基板接続部１３ｂが前方側に向かって片持ち状をなして一体的に延出している。その基板接続部１３ｂは、電気コネクタ１０の実装時に、印刷配線基板上に形成された導電路に対して半田部材により接合される。
【００３４】
［弾性ビーム状部材及び固定ビーム状部材について］
一方、前述した第１コンタクト１２の弾性ビーム状部材１２ｄ、及び第２コンタクト１３の固定ビーム状部材１３ｄは、互いに近接するように突出する片持ち状の帯板状部材から形成されている。そのうちの第２コンタクト１３の固定ビーム状部材１３ｄは、上述した固定基部１３ａの前端縁部から、相手側の第１コンタクト１２に向かって直接的に延出する構成になされており、当該固定ビーム状部材１３ｄの全体が、所定の剛性を有する固定部材になされている。
【００３５】
これに対して、第１コンタクト１２の弾性ビーム状部材１２ｄは、前述したように基板接続部１２ｂの後端縁部から、反転折返し部１２ｃを介して前方側に向かって一体的に延出しているが、当該弾性ビーム状部材１２ｄは、相手側の第２コンタクト１３側に向かって斜め上方に傾斜しながら直線状に片持ち状をなして一体的に延出する構成になされている。このような構成を有する弾性ビーム状部材１２ｄの全体は、固定基部１２ａとの連結部分である反転折返し部１２ｃ又はその近傍を支点とした弾性的な可撓性を有するものであり、前記支点を中心とした上下方向に揺動可能な構成になされている。
【００３６】
また、この弾性ビーム状部材１２ｄが前方側に向かって延出している先端部分には、第２コンタクト１３に対する接点部が設けられている。すなわち、当該第１コンタクト１２の弾性ビーム状部材１２ｄに設けられた接点部は、第２コンタクト１３の固定ビーム状部材１３ｄに設けられた接点部に対して下方側から接触する配置関係になされていて、これらの両接点部が、弾性ビーム状部材１２ｄの弾性的な付勢力によって接触状態になされるとともに、当該弾性ビーム状部材１２ｄに対する検査用プラグコネクタ２０の押下げ力の付与によって離間状態になされる。
【００３７】
すなわち、第１コンタクト１２の弾性ビーム状部材１２ｄは、前述したプローブ挿入穴１１ｃの直下位置を延在するように配置されており、当該プローブ挿入穴１１ｃの下端開口部が、弾性ビーム状部材１２ｄの途中部分に上方側から臨む位置関係になされている。そして、特に図９に示されているように、検査用プラグコネクタ２０が上方側に配置されて、当該検査用プラグコネクタ２０のプローブ２０ａがプローブ挿入穴１１ｃを通してコネクタ内部に挿入されると、図１０に示されているように、プローブ挿入穴１１ｃから下方に突出したプローブ２０ａが、第１コンタクト１２の弾性ビーム状部材１２ｄの途中部分に上方側から当接する。さらに、図１１に示されているように、検査用プラグコネクタ２０が下方に押し下げられると、第１コンタクト１２の弾性ビーム状部材１２ｄに設けられた接点部が、プローブ２０ａの下方押圧力によって、第２コンタクト１３の弾性ビーム状部材１３ａに設けられた接点部から下方に離間されるようになっている。
【００３８】
以上のように本実施形態にかかるスイッチ付同軸コネクタ１０においては、第１コンタクト１２の弾性ビーム状部材１２ｄが、第１コンタクト１２における長手方向の略全長にわたって弾性的な可撓性を有しており、絶縁ハウジング１１に固定されている固定基部１２ａが、従来のように弾性ビーム状部材１２ｄの延出方向の途中位置に設けられていないことから、弾性ビーム状部材１２ｄの可撓性を有する領域が従来よりも拡大されており、その結果、当該弾性ビーム状部材１２ｄの弾性的な可撓性が、長期にわたって良好に維持される。
【００３９】
［導電性シェルについて］
一方、上述した絶縁ハウジング１１の上面側表面には、薄板状の導電性部材からなる導電性シェル１４が上方側から覆うようにして装着されている。この導電性シェル１４は、絶縁ハウジング１１の上面側から挿入ガイド部１１ｂの外周面の一部を覆うように装着されているが、この導電性シェル１４が絶縁ハウジング１１の上面側表面を覆っている上面基板１４ａが平面略矩形状をなすように形成されている。
【００４０】
その導電性シェル１４における略矩形状をなす上面基板１４ａの中央部分には、上述した絶縁ハウジング１１の挿入ガイド部１１ｂを外方側から覆うグランド端子部１４ｂが略中空円筒状をなすようにして一体に設けられている。このグランド端子部１４ｂの外周表面には、円環状をなす固定係止溝１４ｃが凹設されており、その固定係止溝１４ｃに対して、前述した検査用プラグコネクタ２０の導電性シェルに設けられた係合突部２０ｂが嵌め込まれ、それによってスイッチ付同軸コネクタ１０に検査用プラグコネクタ２０が適宜の嵌合力で連結された状態に維持されるようになっている。
【００４１】
また、上述した導電性シェル１４の上面基板１４ａにおける略矩形状の四隅部分には、下方に向かって垂れ下がるように延在する基板接続部１４ｄがそれぞれ連設されている。それらの各基板接続部１４ｄは、上述した上面基板１４ａの端縁から下方に向かって、外方側にやや開くように傾斜して延在しており、上述した上面基板１４ａの端縁からコネクタ外方側に向かって斜め下方に張り出すように延出するテーパ状の傾斜壁面を有しているとともに、その傾斜壁面の下端部から、コネクタ内方に向かって略水平に突出する水平壁面からなる基板接続部１４ｆが連設されている。
【００４２】
それら４体の基板接続部１４ｄの先端部分を形成している半田接合片１４ｆのうち、上述したコンタクト対向方向に隣接する２体の半田接合片１４ｆ，１４ｆ同士は、一体的に連結されており、各基板接続部１４ｄが、図示を省略した配線基板上のグランド用導電路に半田接合されることによって、グランド接続が行われるとともに、スイッチ付同軸コネクタ１０の全体の保持が行われるようになっている。
【００４３】
一方、上述した第１の実施形態と同一の構成部材に対して同一の符号を付した図１２及び図１３にかかる第２の実施形態においては、第１コンタクト１２’に設けられた固定基部１２ａ’と基板接続部１２ｂ’との間に、上述した実施形態のような段差は形成されておらず、それらの固定基部１２ａ’と基板接続部１２ｂ’とが同一面をなすように略水平に延在している。すなわち、本実施形態における第１コンタクト１２’では、基板接続部１２ｂ’とともに固定基部１２ａ’も、電気コネクタの実装時に印刷配線基板に半田接合される構成になされている。
【００４４】
さらに、固定基部１２ａ’の両側縁部に形成されている一対の固定延設片１２ａ１’，１２ａ１’は、固定基部１２ａ’に対して上方段差を介して連設されており、固定基部１２ａ’よりやや上方位置に配置された固定延設片１２ａ１’，１２ａ１’が、絶縁ハウジングに対して圧入固定されるようになっている。このような構成を有する第２の実施形態においても、上述した第１の実施形態と同様な作用・効果が得られる。
【００４５】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４６】
例えば、上述した実施形態では、反転折返し部が、基板接続部から上方向に延出する構成になされているが、基板接続部から下方向に向かって延出する反転折返し部を設けるようにしても良い。
【００４７】
また、本発明は、上述した実施形態のような回路検査スイッチ以外の用途に用いられるスイッチ付同軸コネクタに対しても同様に適用可能である。
【産業上の利用可能性】
【００４８】
以上のように本発明は、各種電子・電気機器に使用される多種多様なスイッチ付同軸コネクタに対して広く適用することが可能である。
【符号の説明】
【００４９】
１０  スイッチ付同軸コネクタ
１１  絶縁ハウジング
１１ａ  ベース枠体部
１１ｂ  挿入ガイド部
１１ｃ  プローブ挿入穴（相手挿入穴）
１１ｄ  傾斜ガイド面
１１ｅ  コンタクト挿入通路
１２  第１コンタクト
１２ａ  固定基部
１２ａ１  固定延設片
１２ａ２  切欠き部
１２ｂ  基板接続部
１２ｃ  反転折返し部
１２ｄ  弾性ビーム状部材
１３  第２コンタクト
１３ａ  固定基部
１３ａ１  固定延設片
１３ｂ  基板接続部
１３ｃ  反転折返し部
１３ｄ  固定ビーム状部材
１４  導電性シェル
１４ａ  上面基板
１４ｂ  グランド端子部
１４ｃ  固定係止溝
１４ｄ  基板接続部
１４ｆ  半田接合片
２０  検査用プラグコネクタ（相手コネクタ）
２０ａ  プローブ
２０ｂ  係合突部
１２’  第１コンタクト
１２ａ’  固定基部
１２ａ１’  固定延設片
１２ｂ’  基板接続部
【図１】
2013251238.tif 000003
【図２】
2013251238.tif 000004
【図３】
2013251238.tif 000005
【図４】
2013251238.tif 000006
【図５】
2013251238.tif 000007
【図６】
2013251238.tif 000008
【図７】
2013251238.tif 000009
【図８】
2013251238.tif 000010
【図９】
2013251238.tif 000011
【図１０】
2013251238.tif 000012
【図１１】
2013251238.tif 000013
【図１２】
2013251238.tif 000014
【図１３】
2013251238.tif 000015